(57)【要約】【課題】尿失禁に伴う失禁パンツ内の蒸れ感を抑える。【解決手段】本発明の一実施形態に係る失禁パンツＰでは、パッド２を構成する保水層とパンツ本体１生地との間に防水層が存在しない。また、パンツ本体１は、包帯生地により構成されており、水分の拡散性及び通気性が確保されている。よって、保水層に保持された水分は、パンツ本体１を介して拡散し蒸発する。よって、当該失禁パンツＰによれば、尿失禁に伴う失禁パンツ内の蒸れ感を抑えることができる。【選択図】図２
2014037655.tif 000002
【特許請求の範囲】
【請求項１】
包帯生地からなるパンツ本体と、
前記パンツ本体の裏面のうち着用者の局部を覆う部分に配置されるパッドであって、前記パンツ本体の生地側から順に保水層と拡散層とが積層されてなる第１のパッドと
を有する失禁パンツ。
【請求項２】
前記包帯生地は、経編により形成され、前記包帯生地の経方向を構成する糸は、合成繊維からなり、前記包帯生地の緯方向を構成する糸は、セルロース系繊維又は合成繊維により構成されることを特徴とする請求項１に記載の失禁パンツ。
【請求項３】
前記包帯生地の緯方向を構成する糸は、セルロース系繊維により構成されることを特徴とする請求項２に記載の失禁パンツ。
【請求項４】
前記包帯生地の経方向を構成する糸は、ポリウレタン系繊維からなり、前記包帯生地の緯方向を構成する糸は、綿からなることを特徴とする請求項３に記載の失禁パンツ。
【請求項５】
ウエストゴムをさらに有し、
前記第１のパッドの一端は、前記パンツ本体の内側前部において、前記ウエストゴムと縫着される
ことを特徴とする請求項１乃至４のいずれか一項に記載の失禁パンツ。
【請求項６】
前記パンツ本体の裏面のうち着用者の内腿前部を覆う部分に配置される第２のパッドであって、前記パンツ本体の生地側から順に保水層と拡散層とが積層されてなる第２のパッドをさらに有することを特徴とする請求項１乃至５のいずれか一項に記載の失禁パンツ。
【請求項７】
前記パンツ本体のうち着用者の局部を覆う部分の見返し部と持ち出し部の打ち合わせにより前開き口が形成され、
前記見返し部に配置される第３のパッドであって、前記パンツ本体の生地側から順に保水層と拡散層とが積層されてなる第３のパッドをさらに有することを特徴とする請求項１乃至６のいずれか一項に記載の失禁パンツ。
【請求項８】
前記第１のパッドの前記保水層と、前記パンツ本体の生地との間に、防水層が介在しないことを特徴とする請求項１乃至７のいずれか一項に記載の失禁パンツ。
【発明の詳細な説明】
【技術分野】
【０００１】
本発明は、失禁パンツに関する。
【背景技術】
【０００２】
従来、尿失禁の弊害を緩和するための下着として失禁パンツが開発されている。例えば、特許文献１に記載の失禁パンツでは、パンツ内面の股部に失禁用部材が縫着されている。この失禁用部材は、着用者の肌に接触する側から順にネット状生地、吸水性生地、消臭吸水性部材、ラミネート生地が積層されて構成されている。この失禁パンツによれば、吸水性生地と消臭吸水性部材とにより尿の吸収が行われ、ラミネート生地によりパンツ外面への尿の滲み出しが防止される。
【先行技術文献】
【特許文献】
【０００３】
【特許文献１】特開平１０−６０７０３号公報
【発明の概要】
【発明が解決しようとする課題】
【０００４】
本発明は、このような事情に鑑みてなされたものであり、尿失禁に伴う失禁パンツ内の蒸れ感を抑えることを目的とする。
【課題を解決するための手段】
【０００５】
上記の課題を解決するため、本発明は、包帯生地からなるパンツ本体と、前記パンツ本体の裏面のうち着用者の局部を覆う部分に配置されるパッドであって、前記パンツ本体の生地側から順に保水層と拡散層とが積層されてなる第１のパッドとを有する失禁パンツを提供する。
【０００６】
好ましい態様において、前記包帯生地は、経編により形成され、前記包帯生地の経方向を構成する糸は、合成繊維からなり、前記包帯生地の緯方向を構成する糸は、セルロース系繊維又は合成繊維により構成されてもよい。
【０００７】
好ましい態様において、前記包帯生地の緯方向を構成する糸は、セルロース系繊維により構成されてもよい。
【０００８】
好ましい態様において、前記包帯生地の経方向を構成する糸は、ポリウレタン系繊維からなり、前記包帯生地の緯方向を構成する糸は、綿からなってもよい。
【０００９】
好ましい態様において、ウエストゴムをさらに有し、前記第１のパッドの一端は、前記パンツ本体の内側前部において、前記ウエストゴムと縫着されてもよい。
【００１０】
好ましい態様において、前記パンツ本体の裏面のうち着用者の内腿前部を覆う部分に配置される第２のパッドであって、前記パンツ本体の生地側から順に保水層と拡散層とが積層されてなる第２のパッドをさらに有してもよい。
【００１１】
好ましい態様において、前記パンツ本体のうち着用者の局部を覆う部分の見返し部と持ち出し部の打ち合わせにより前開き口が形成され、前記見返し部に配置される第３のパッドであって、前記パンツ本体の生地側から順に保水層と拡散層とが積層されてなる第３のパッドをさらに有してもよい。
【００１２】
好ましい態様において、前記第１のパッドの前記保水層と、前記パンツ本体の生地との間に、防水層が介在しないようにしてもよい。
【発明の効果】
【００１３】
本発明によれば、尿失禁に伴う失禁パンツ内の蒸れ感を抑えることができる。
【図面の簡単な説明】
【００１４】
【図１】失禁パンツＰの外観図である。
【図２】図１（ａ）に示される失禁パンツＰの前側の面を内側から見た図である。
【図３】パッド２の構造を示す図である。
【図４】図２に示される面において第２片１１２を取り除いた状態を示す図である。
【図５】局部当て部片１１を図１（ａ）のＩ−Ｉ線により破断したときの部分断面図である。
【発明を実施するための形態】
【００１５】
１．実施形態
図１は、本発明の一実施形態に係る失禁パンツＰの外観図である。図１（ａ）は、失禁パンツＰの正面図であり、図１（ｂ）は、失禁パンツＰの背面図であり、図１（ｃ）は、失禁パンツＰの右側面図である。また、図２は、図１（ａ）に示される失禁パンツＰの前側の面を内側から見た図である。図１及び図２に示される失禁パンツＰは、尿失禁（特に、軽失禁）の弊害を緩和するための男性用の下肢用衣類である。
【００１６】
ここで尿失禁の弊害には、例えば、尿臭、尿シミ、不快な肌ざわり等がある。また、軽失禁とは、咳、くしゃみをした時や運動時の尿漏れや、尿意をもよおした時に我慢しきれずに漏らしてしまう失禁や、排尿困難に伴って残尿が増え、溢れるように漏れてしまう失禁をいう。また、ここでパンツには、図１に示されるような、いわゆるボクサータイプのブリーフに限られず、通常のブリーフやトランクス等のその他の下半身用の下着の他、水着やスパッツ等のスポーツウェアも含まれるものとする。
【００１７】
失禁パンツＰは、大きく、パンツ本体１と、パッド２（パッド２ａ、パッド２ｂ、パッド２ｃ及びパッド２ｄ）とにより構成される。ここで、パッド２は、パッド２ａ、パッド２ｂ、パッド２ｃ及びパッド２ｄの総称である。パンツ本体１は、例えば、いわゆるボクサータイプのブリーフである。すなわち、裾部が両脚に密着するタイプのブリーフである。パンツ本体１の生地は、伸縮性の包帯生地である。この包帯生地は、経編により形成され、経方向の方が緯方向よりも伸縮性が高くなっている。ここで、経編とは、整経されて平行に並べられた多くの経糸によって、たて方向に編目をつくっていく編み方である。
【００１８】
経方向を構成する糸は、弾性糸である合成繊維からなり、緯方向を構成する糸は、非弾性糸であるセルロース系繊維からなっている。ここで、合成繊維とは、例えば、ポリウレタン系繊維や、ポリエステル系繊維である。より具体的には、ポリウレタンの芯糸にポリエステルの鞘糸を巻きつけた混合糸である。また、セルロース系繊維とは、例えば綿である。
【００１９】
このように本実施形態に係るパンツ本体１は、構成糸として、ポリウレタン系繊維等の合成繊維を採用していることから、その疎水性によって、水分の拡散性を確保することができる。また、パンツ本体１は、構成糸として、綿等のセルロース系繊維を採用していることから、吸水性を確保することができる。また、パンツ本体１は、包帯の編み組織により、通気性を確保することができる。
【００２０】
パンツ本体１は、図１及び図２に示されるように、局部当て部片１１と、左脇はぎ片１２Ｌと、右脇はぎ片１２Ｒと、後身頃片１３と、左下側片１４Ｌと、右下側片１４Ｒと、ウエストゴム１５とを縫着して構成される。局部当て部片１１は、着用者の下腹部中央（特に、局部）を覆う生地片である。左脇はぎ片１２Ｌは、着用者の左下腹部から左側腰部及び左脚大腿部（内腿前部を除く）を覆う生地片である。右脇はぎ片１２Ｒは、着用者の右下腹部から右側腰部及び右脚大腿部（内腿前部を除く）を覆う生地片である。
【００２１】
後身頃片１３は、着用者の臀部を覆う生地片である。左下側片１４Ｌは、着用者の左鼠径部から左脚大腿部内側（内腿前部）を覆う生地片である。右下側片１４Ｒは、着用者の右鼠径部から右脚大腿部内側（内腿前部）を覆う生地片である。ウエストゴム１５は、着用者の腰を周回するように覆う弾性部材である。
【００２２】
局部当て部片１１は、第１片１１１と、第２片１１２の２枚の生地片が重ねられて構成される。第１片１１１と第２片１１２とは、それぞれ略半楕円形の形状を有し、第１片１１１は外側に配置され、第２片１１２は内側に配置される。第１片１１１と第２片１１２とは、それぞれ外縁の一部に切り欠き部を有する。切り欠き部の位置は、それぞれ左右対称に設定される。各切り欠き部を形成する切り欠き辺は、縫着されず、第１片１１１と第２片１１２の打ち合わせにより、前開き口が形成される。前開き口は、例えば、排尿時に男性局部を出し入れするために使用される。
【００２３】
次に、パッド２は、パンツ本体１内に排泄された尿を吸収し、保持する部材である。図３は、パッド２の構造を示す図である。パッド２は、図３に示されるように、パンツ本体１の生地側から順に、保水層２１と、拡散層２２とが積層されて構成されている。拡散層２２は、例えば、パイル加工されたポリエステル製の繊維生地である。拡散層２２は、接触した水分を拡散させつつ保水層２１に導く。拡散層２２は、パイル加工により肌との接触面積が小さくなっており、また、ポリエステルが疎水性を有することから、濡れ感が抑えられ、ドライ感が向上する。
【００２４】
保水層２１は、例えば、吸水加工を施された綿生地である。保水層２１は、拡散層２２により拡散された水分を吸収して保持する。保水層２１と拡散層２２との構成比は、例えば４５対５５である。
【００２５】
本実施形態に係るパッド２では、保水層２１とパンツ本体１の生地との間に、防水層が存在しない。ここで防水層とは、保水層２１からパンツ本体１生地への水分の滲み出しを防止するためのシートである。例えば、ポリウレタン系樹脂製のシートである。
【００２６】
次に、パッド２の個別の構成についてみると、パッド２ａは、図２に示されるように、局部当て部片１１を構成する第２片１１２と同様の形状を有し、第２片１１２の裏面に縫着される。パッド２ａは、ウエストゴム１５に接する位置まで延びるように配置され、その一端はウエストゴム１５と縫着される。パッド２ｂは、図４に示されるように、局部当て部片１１を構成する第１片１１１の形状を半分に分割した略４分楕円形状を有し、第１片１１１の裏面に縫着される。なお、図４は、図２に示される面において第２片１１２を取り除いた状態を示す図である。
【００２７】
パッド２ｃは、左下側片１４Ｌと同様の形状を有し、左下側片１４Ｌの裏面に縫着される。パッド２ｄは、右下側片１４Ｒと同様の形状を有し、右下側片１４Ｒの裏面に縫着される。
【００２８】
図５は、局部当て部片１１を図１（ａ）のＩ−Ｉ線により破断したときの部分断面図である。図４に示されるように、第１片１１１の見返し部１１１１と、第２片１１２の持ち出し部１１２１との打ち合わせにより前開き口が形成される。そして、第１片１１１の見返し部１１１１上であって、第２片１１２の持ち出し部１１２１に対向する位置にパッド２ｂが縫着される。パッド２ａは、上述のように、第２片１１２の裏面に縫着される。
【００２９】
以上説明した本実施形態に係る失禁パンツＰによれば、パッド２を構成する保水層２１とパンツ本体１生地との間に防水層が存在しない。また、パンツ本体１は、包帯生地により構成されており、水分の拡散性及び通気性が確保されている。よって、保水層２１に保持された水分は、パンツ本体１を介して拡散し、蒸発する。すなわち、本実施形態に係る失禁パンツＰによれば、尿失禁に伴う失禁パンツ内の蒸れ感を抑えることができる。
【００３０】
また、本実施形態に係る失禁パンツＰによれば、局部を覆うパッド２ａが、ウエストゴム１５に接する位置まで延びるように配置されている。よって、排尿時に失禁パンツＰ上部から男性局部を出し入れする際の尿漏れをカバーすることができる。また、局部当て部片１１を構成する第１片１１１の見返し部１１１１にパッド２ｂが縫着されているため、排尿時に前開き口から男性局部を出し入れする際の尿漏れをカバーすることができる。また、左下側片１４Ｌと右下側片１４Ｒのそれぞれにパッド２ｃとパッド２ｄを縫着したことにより、尿の横漏れを防止することができる。
【００３１】
２．変形例
上記の実施形態は、以下のように変形してもよい。また、以下の変形例は、互いに組み合わせてもよい。
２−１．変形例１
上記の実施形態では、パッド２ｂは、局部当て部片１１を構成する第１片１１１の形状を半分に分割した略４分楕円形状を有しているが、第１片１１１と同様の形状を有するようにしてもよい。また、上記の実施形態において、パッド２ｂと、パッド２ｃと、パッド２ｄのうち少なくともいずれか１つを欠く構成としてもよい。
【００３２】
また、上記の実施形態において、第２片１１２の持ち出し部１１２１にパッドを縫着してもよい。ここで縫着されるパッドの構造は、パッド２と同様でもよい。また、パッドの形状は、第２片１１２と同様でもよいし、第２片１１２の形状を半分に分割した略４分楕円形状でもよい。また、上記の実施形態では、パッド２の保水層２１とパンツ本体１の生地との間に防水層が存在しないが、防水層を介在させるようにしてもよい。防水層を介在させた場合でも、包帯生地の水分拡散性及び通気性により、失禁パンツ内の蒸れ感を抑えることができる。
【００３３】
２−２．変形例２
上記の実施形態では、パンツ本体１の生地は、包帯生地であるが、包帯以外の生地を使用してもよい。例えば、綿生地を使用してもよい。また、上記の実施形態において、包帯生地の緯方向を構成する糸は、セルロース系繊維となっているが、これに代えて、経方向を構成する糸と同様に、合成繊維としてもよい。
【００３４】
２−３．変形例３
上記の実施形態に係る失禁パンツＰは、男性用であるが、女性用としてもよい。具体的には、パッド２ａ及び２ｂに代えて、パンツ本体１の裏面のうち女性の局部を覆う部分にパッドを縫着するようにしてもよい。ここで、パッドの構造は、パッド２と同様でもよい。また、この場合、上記の実施形態では、局部当て部片１１は２枚の生地片により構成されているが、１枚の生地片のみにより構成されてもよい。すなわち、前開き口を形成しなくてもよい。
【符号の説明】
【００３５】
１…パンツ本体、２ａ，２ｂ，２ｃ，２ｄ…パッド、１１…局部当て部片、１２Ｌ…左脇はぎ片、１２Ｒ…右脇はぎ片、１３…後身頃片、１４Ｌ…左下側片、１４Ｒ…右下側片、１５…ウエストゴム、２１…保水層、２２…拡散層、１１１…第１片、１１２…第２片、１１１１…見返し部、１１２１…持ち出し部
【図１】
2014037655.tif 000003
【図２】
2014037655.tif 000004
【図３】
2014037655.tif 000005
【図４】
2014037655.tif 000006
【図５】
2014037655.tif 000007